(57)【要約】  本開示の実施形態は、無線通信システムにおいて情報を送信し情報を受信する方法および装置に関する。情報を送信する方法では、情報は、１の参照信号と複数の無線リソース制御（ＲＲＣ）メッセージのうちの少なくとも２つを含む。この方法は、同じ時間単位または少なくとも２つの連続的な時間単位を用いて、参照信号および複数のＲＲＣメッセージのうちの少なくとも２つを送信することを含み、参照信号および複数のＲＲＣメッセージのうちの少なくとも２つは、同じ時間オフセットまたは異なる時間オフセットを有し、同じ送信周期性または所定の周期性の異なる倍数である送信周期性を有する。したがって、他のシステムまたはノードへの干渉を制限することができ、これらが認可不要スペクトルで送信される場合、これらの信号送信に必要なＬＢＴの数を減らすことができる。【選択図】図１
2019527513.tif 000002
【特許請求の範囲】
【請求項１】
無線通信システムにおいて情報を送信する方法であって、前記情報が、１つの参照信号と複数の無線リソース制御（ＲＲＣ）メッセージとのうちの少なくとも２つを含み、
前記方法は、
同じ時間単位または少なくとも２つの連続的な時間単位を用いて、参照信号および複数のＲＲＣメッセージのうちの少なくとも２つを送信することを含み、
１つの参照信号および複数のＲＲＣメッセージのうちの少なくとも２つは、同じ時間オフセットまたは異なる時間オフセットを有し、
参照信号および複数のＲＲＣメッセージのうちの少なくとも２つは、同一の送信周期性、または所定の周期性の異なる倍数である送信周期性を有する。
【請求項２】
前記１つの参照信号および前記複数のＲＲＣメッセージのうちの少なくとも２つは、同じ時間単位で送信され、前記１つの参照信号および前記複数のＲＲＣメッセージのうちの少なくとも２つは、同じ時間オフセットを有する、請求項１に記載の方法。
【請求項３】
ページングメッセージの周期性が、前記参照信号の周期性より大きく、異なるＵＥに対するページングメッセージは異なる参照信号時間単位で搬送することができる、請求項２に記載の方法。
【請求項４】
前記ＵＥの識別子に基づいてページングメッセージを搬送するために、異なる参照信号時間単位が異なるＵＥに割り当てられる、請求項３に記載の方法。
【請求項５】
前記１つの参照信号および前記複数のＲＲＣメッセージのうちの少なくとも２つは、少なくとも２つの連続時間単位でそれぞれ送信される少なくとも２つのグループにグループ化され、
同じ１つのグループ内の情報は、同じ時間オフセットを有し、同じ送信周期性または所定の周期性の異なる倍数である送信周期性を有する、請求項１に記載の方法。
【請求項６】
前記複数のＲＲＣメッセージは、マスタ情報ブロック（ＭＩＢ）、システム情報ブロック（ＳＩＢ）、およびページングメッセージを少なくとも含み、
前記ＳＩＢの帯域幅およびページングメッセージに関する指示は、少なくとも１つのＭＩＢおよび参照信号のうちの少なくとも一方で搬送される、または帯域幅は、１つまたは複数の所定の帯域幅である。請求項１から５のいずれかに記載の方法。
【請求項７】
前記参照信号および前記複数のＲＲＣメッセージのうちの少なくとも２つは、異なるセルに対して異なる時間オフセットを有する、請求項１から６のいずれかに記載の方法。
【請求項８】
前記参照信号は、グループ内のＵＥがページングされているかどうかを示すためのインジケータを含む、請求項１から７のいずれかに記載の方法。
【請求項９】
前記参照信号は、ディスカバリー信号（ＤＲＳ）を少なくとも含み、グループ内の前記ＵＥがページングされているかどうかは、以下のいずれかによって示される、請求項８に記載の方法。
ＤＲＳで二重化モードインジケータを再利用し、
ＤＲＳでサイクリックプレフィックスタイプのインジケータを再利用し
ＤＲＳで特定のセルインデックスを再利用し
ＤＲＳの特定のインジケータの変更を使用する。
【請求項１０】
情報を受信する方法であって、前記情報は、１つの参照信号と複数の無線リソース制御（ＲＲＣ）メッセージとのうちの少なくとも２つを含み、
前記方法は、同じ時間単位または少なくとも２つの連続的な時間単位を用いて、参照信号および複数のＲＲＣメッセージのうちの少なくとも２つを受信することを含み、
１つの参照信号および複数のＲＲＣメッセージのうちの少なくとも２つは、同じ時間オフセットまたは異なる時間オフセットを有し、
参照信号および複数のＲＲＣメッセージのうちの少なくとも２つは、同一の送信周期性、または所定の周期性の異なる倍数である送信周期性を有する。
【請求項１１】
前記１つの参照信号および前記複数のＲＲＣメッセージのうちの少なくとも２つは、同じ時間単位で受信され、
前記１つの参照信号および前記複数のＲＲＣメッセージのうちの少なくとも２つは同じオフセットを有する、請求項１０に記載の方法。
【請求項１２】
前記参照信号および前記複数のＲＲＣメッセージのうちの少なくとも２つは、前記少なくとも２つの連続した時間単位で送信される少なくとも２つのグループにグループ化され、同じ１つのグループ内の情報は、同じ時間オフセットを有し、同じ送信周期性または所定の周期性の異なる倍数である送信周期性を有する、請求項１０に記載の方法。
【請求項１３】
前記参照信号はディスカバリー信号（ＤＲＳ）を含み、前記複数のＲＲＣメッセージ、複数のＲＲＣメッセージは少なくともマスタ情報ブロック（ＭＩＢ）、システム情報ブロック（ＳＩＢ）およびページングメッセージを含む、請求項１０から１２のいずれかに記載の方法であって、前記方法はさらに以下を含む。
ＤＲＳが受信された場合、１つまたは複数の所定の帯域幅内でＤＲＳを復号し、
ＤＲＳから復号された時間／周波数同期情報に基づいて、ＤＲＳに示される、別の１つ以上の所定の帯域幅または別の１つ以上の帯域幅内でＭＩＢを復号し、そして
ＭＩＢおよびＤＲＳのうちの少なくとも１つに示される、さらに１つまたは複数の所定の帯域幅またはさらに１つまたは複数の帯域幅内でＳＩＢおよびページングメッセージのうちの少なくとも１つを復号する。
【請求項１４】
以下の少なくとも１つをさらに含む、請求項１０から１３のいずれかに記載の方法。
端末装置の識別子に基づいて決定された時間単位で端末装置のページング情報を受信する、および
それらを復号するのに十分な情報を得る前に、参照信号および複数のＲＲＣメッセージのうちの少なくとも１つをバッファする。
【請求項１５】
前記ＤＲＳを復号することは、グループ内のＵＥがページングされているかどうかに関するインジケータを取得するために前記ＤＲＳを復号することを含む、請求項１３に記載の方法。
【請求項１６】
無線通信システムにおいて情報を送信するための装置であって、前記情報は、１つの参照信号および複数の無線リソース制御（ＲＲＣ）メッセージのうちの少なくとも２つを含み、前記装置は、
同じ時間単位または少なくとも２つの連続的な時間単位を用いて、参照信号および複数のＲＲＣメッセージのうちの少なくとも２つを送信するように構成された情報送信モジュールを備え、
１つの参照信号および複数のＲＲＣメッセージのうちの少なくとも２つは、同じ時間オフセットまたは異なる時間オフセットを有し、そして
参照信号および複数のＲＲＣメッセージのうちの少なくとも２つは、同一の送信周期性、または所定の周期性の異なる倍数である送信周期性を有する。
【請求項１７】
前記参照信号および前記複数の無線リソース制御（ＲＲＣ）メッセージのうちの少なくとも２つは同じ時間単位で送信され、前記参照信号および複数のＲＲＣメッセージのうちの少なくとも２つは同じオフセットを有する、請求項１６に記載の装置。
【請求項１８】
ページングメッセージの周期性は前記参照信号の周期性より大きく、異なるＵＥに対するページングメッセージが異なる参照信号時間単位で搬送されることができ、ＵＥの識別子に基づいてページングメッセージを搬送するために、異なる参照信号時間単位が異なるＵＥに割り当てられる、請求項１７に記載の装置。
【請求項１９】
前記参照信号および前記複数の無線リソース制御（ＲＲＣ）メッセージのうちの少なくとも２つのうちの前記少なくとも２つは、前記少なくとも２つの連続した時間単位で送信される少なくとも２つのグループにグループ化され、同じ１つのグループ内の情報は、同じ時間オフセットを有し、同じ伝送周期性または所定の周期性の異なる倍数である伝送周期性を有する請求項１６から１８のいずれかに記載の装置。
【請求項２０】
前記複数のＲＲＣメッセージは、マスタ情報ブロック（ＭＩＢ）、システム情報ブロック（ＳＩＢ）、およびページングメッセージを少なくとも含み、前記ＳＩＢおよび前記ページングの帯域幅に関する指示は、ＭＩＢおよび参照信号のうちの少なくとも一方で搬送されるか、または帯域幅は、１つまたは複数の所定の帯域幅であり、および/または
参照信号および複数のＲＲＣメッセージのうちの少なくとも２つは、異なるセルに対して異なる時間オフセットを有する、請求項１６から１９のいずれかに記載の装置。
【請求項２１】
前記参照信号は、グループ内のＵＥがページングされているかどうかを示すためのインジケータを含むことを特徴とする請求項１６から２０のいずれかに記載の装置。
【請求項２２】
情報を受信する装置であって、前記情報は、１つの参照信号と複数の無線リソース制御（ＲＲＣ）メッセージとのうちの少なくとも２つを含み、
前記装置は、
同じ時間単位または少なくとも２つの連続的な時間単位を用いて、参照信号および複数のＲＲＣメッセージのうちの少なくとも２つを受信するように構成された情報受信モジュールを備え、
１つの参照信号および複数のＲＲＣメッセージのうちの少なくとも２つは、同じ時間オフセットまたは異なる時間オフセットを有し、
参照信号および複数のＲＲＣメッセージのうちの少なくとも２つは、同一の送信周期性、または所定の周期性の異なる倍数である送信周期性を有する。
【請求項２３】
前記１つの参照信号および前記複数のＲＲＣメッセージのうちの少なくとも２つは同じ時間単位で受信され、前記参照信号および複数のＲＲＣメッセージのうちの少なくとも２つは同じオフセットを有する、請求項２２に記載の装置。
【請求項２４】
前記参照信号および前記複数のＲＲＣメッセージのうちの少なくとも２つは、前記少なくとも２つの連続した時間単位で送信される少なくとも２つのグループに分類され、同じ１つのグループ内の情報は、同じ時間オフセットを有し、同じ送信周期性または所定の周期性の異なる倍数である送信周期性を有する、請求項２２に記載の装置。
【請求項２５】
前記参照信号はディスカバリー信号（ＤＲＳ）を含み、前記複数のＲＲＣメッセージはマスタ情報ブロック（ＭＩＢ）、システム情報ブロック（ＳＩＢ）、およびページングを少なくとも含み、前記装置は、情報復号化モジュールをさらに備え、以下のように構成される。
ＤＲＳが受信されると、１つまたは複数の所定の帯域幅内でＤＲＳを復号し、
ＤＲＳから復号された時間／周波数同期情報に基づいて、他の１つ以上の所定の帯域幅またはＤＲＳに示されるような他の１つ以上の帯域幅内でＭＩＢを復号し、そして
ＭＩＢおよびＤＲＳのうちの少なくとも１つに示される、さらに１つまたは複数の所定の帯域幅またはさらに１つまたは複数の帯域幅内でＳＩＢおよびページングメッセージのうちの少なくとも１つを復号する、請求項２２から２４のいずれかに記載の装置。
【請求項２６】
前記情報受信モジュールはさらに、以下のうちの少なくとも１つを実行するように構成される請求項２２から２５のいずれかに記載の装置。
端末装置の識別子に基づいて決定された時間単位で端末装置のページング情報を受信する、そして
それらを復号するのに十分な情報を得る前に、参照信号および複数のＲＲＣメッセージのうちの少なくとも１つをバッファする。
【請求項２７】
前記情報復号化モジュールは、グループ内のＵＥがページングされているかどうかに関するインジケータを取得するために前記ＤＲＳを復号化するようにさらに構成される、請求項２５に記載の装置。
【発明の詳細な説明】
【技術分野】
【０００１】
本開示の非限定的かつ例示的な実施形態は、一般に無線通信技術の分野に関し、より詳細には情報を送信するための方法および装置、ならびに情報を受信するための方法および装置に関する。
【背景技術】
【０００２】
無線データサービスの絶え間ない増加により、認可された（licensed）キャリアリソースは限られており、絶えず増加するデータトラフィックに対処するのは難しい。したがって、費用効果の高い方法で大量の周波数リソースを提供することができる、認可不要（unlicensed）のキャリアリソースをデータ通信に使用することが提案されている。
最近、3rd Generation Partnership Project（３ＧＰＰ）団体は、端末装置にデータ速度の向上をもたらすために、スモールセル上の認可されたキャリアリソースから認可不要キャリアリソースへのデータオフロード(offloading)を導入するライセンスアシストアクセス(Licensed-Assisted Access)の標準化を開始した。認可不要キャリアでのデータ送信の場合、チャネルがアイドル状態であるかどうかを検出するためにListen Before Talk（LBT）操作を実行する。免許不要キャリアでの送信は、チャネルがアイドル状態であることをLBTの結果が示している場合にのみ実行できる。それ以外の場合は、免許不要キャリアでは送信が行われない。したがって、認可不要スペクトル（spectrum）における送信器会は、ＬＢＴのために制限される。
【０００３】
通常、参照信号（ディスカバリー信号（ＤＲＳ）など）および無線リソース制御（ＲＲＣ）メッセージ（システム情報、ページングメッセージなど）は両方とも、ユーザ機器（ＵＥ）などの端末装置に送信される必要がある。これらの信号は、しばしば異なる送信周期性および異なる時間オフセットを有し、それらの間に依存性を有する。例えば、レガシーＬＴＥシステムにおけるＤＲＳ、メタ情報ブロック（ＭＩＢ）、システム情報ブロック（ＳＩＢ）、およびページングメッセージは、異なる周期性および異なる時間オフセットを有し、ＤＲＳ／ＭＩＢ／ＳＩＢ／ページングは互いに依存関係を有する。これは、１つの信号の正常な復号化が別の信号の復号化に依存する可能性があるので、情報の一部を正常に受信できない場合、ＵＥは完全なシステム情報を取得できないことを意味する。そのような場合、ユーザーエクスペリエンスに大きな影響を与えます。その上、エネルギー消費問題およびノード間干渉問題もまたありうる。
【０００４】
米国特許出願公開第２０１６／１６５６３８号明細書には、Ｅ−ＵＴＲＡＮのための強化されたシステムアクセスのためのソリューションが開示されており、そこでは、２段階システム情報送信ソリューションおよびページングサイクルの短縮が提案されている。特に、この用途では、第１段階で、エリア内のセルのグループの各セルに共通の第１のシステム情報が最初にブロードキャストされる。次に、グループ内のセル間で異なる可能性がある２番目のシステム情報がブロードキャストされる。第２のシステム情報は第１のシステム情報よりも頻繁にブロードキャストされる。
【０００５】
技術文書RP-160870「New WI：認可不要スペクトルにおけるスタンドアローンLTE動作およびデュアルコネクティビティ動作に関するワークアイテム、Ericsson、3GPP RANP＃72ミーティングにおいて」では、共通サブフレームでのDRS、MIBおよびSIBのスケジューリングをサポートするための標準LAAを開示している。
【０００６】
しかしながら、それらが異なる時間インスタンスで送信され、これらの情報送信のために他のシステムへの干渉が依然として存在する可能性がある場合、認可不要スペクトルでの参照信号およびＲＲＣメッセージ送信には依然として複数のＬＢＴ試行が必要となる。
【先行技術文献】
【特許文献】
【０００７】
【特許文献１】米国特許出願公開第２０１６／１６５６３８号明細書
【非特許文献】
【０００８】
【非特許文献１】RP-160870,New WI: Work Item on Standalone LTE operation and dual connectivity operation in unlicensed spectrum, Ericsson, 3GPP RANP#72 meeting
【発明の概要】
【発明が解決しようとする課題】
【０００９】
本開示では、従来技術における、この問題の少なくとも一部を緩和または少なくとも軽減する無線通信システムにおける情報送信および情報受信のための新しい解決策を提供する。
【課題を解決するための手段】
【００１０】
本開示の第１の態様によれば、無線通信システムにおいて情報を送信する方法において、情報が、１つの参照信号と複数の無線リソース制御（ＲＲＣ）メッセージとのうちの少なくとも２つを含むようにした。この方法は、同じ時間単位または少なくとも２つの連続的な時間単位を用いて、参照信号および複数のＲＲＣメッセージのうちの少なくとも２つを送信することを含み、参照信号および複数のＲＲＣメッセージのうちの少なくとも２つは、同じ時間オフセットまたは異なる時間オフセットを有し、１つの参照信号および複数のＲＲＣメッセージのうちの少なくとも２つは、同じ送信周期性または所定の周期の異なる倍数である送信周期性を有する。
【００１１】
本開示の第２の態様によれば、情報を受信する方法において、情報が、１つの参照信号と２以上の無線リソース制御（ＲＲＣ）メッセージとのうちの少なくとも２つを含むようにした。この方法は、同じ時間単位または少なくとも２つの連続した時間単位を用いて、参照信号および複数のＲＲＣメッセージのうちの少なくとも２つを受信することを含み、１つの参照信号および複数のＲＲＣメッセージのうちの少なくとも２つは、同じ送信周期性または所定の周期の異なる倍数である送信周期性を有する。
【００１２】
本開示の第３の態様によれば、無線通信システム内の情報を送信する装置において、情報は、１つの参照信号と複数の無線リソース制御（ＲＲＣ）メッセージとのうちの少なくとも２つを含むようにした。この装置は、同じ時間単位または少なくとも２つの連続的な時間単位を用いて、参照信号および複数のＲＲＣメッセージのうちの少なくとも２つを送信するように構成された情報送信モジュールを備え、複数のＲＲＣメッセージは同じ時間オフセットまたは異なる時間オフセットを有し、参照信号および複数のＲＲＣメッセージのうちの少なくとも２つは同じ送信周期性または所定の周期の異なる倍数である送信周期性を有する。
【００１３】
本開示の第４の態様によれば、情報を受信する装置において、情報が、１つの参照信号と２以上の無線リソース制御（ＲＲＣ）メッセージとのうちの少なくとも２つを含むようにした。この装置は、同じ時間単位または少なくとも２つの連続する時間単位を用いて、参照信号および複数のＲＲＣメッセージのうちの少なくとも２つを受信するように構成された情報受信モジュールを備え、参照信号および複数のＲＲＣメッセージのうちの少なくとも２つは同じ送信周期性または所定の周期の異なる倍数である送信周期性を有し、複数のＲＲＣメッセージは同じ時間オフセットまたは異なる時間オフセットを有する。
【００１４】
本開示の第５の態様によれば、コンピュータプログラムコードがその上に具体化されたコンピュータ可読記憶媒体であって、コンピュータプログラムコードは、実行されると、第１の態様のいずれかの実施形態による方法で装置に動作を実行させるようにした。
【００１５】
本開示の第６の態様によれば、コンピュータプログラムコードがその上に具体化されたコンピュータ可読記憶媒体であって、コンピュータプログラムコードは、実行されると、第２の態様のいずれかの実施形態による方法で装置に動作を実行させるようにした。
【００１６】
本開示の第７の態様によれば、コンピュータプログラムコードがその上に具体化されたコンピュータ可読記憶媒体であって、コンピュータプログラムコードは、実行されると、第５の態様のいずれかの実施形態による方法で装置に動作を実行させるようにした。
【００１７】
本開示の第８の態様によれば、コンピュータプログラムコードがその上に具体化されたコンピュータ可読記憶媒体であって、コンピュータプログラムコードは、実行されると、第６の態様のいずれかの実施形態による方法で装置に動作を実行させるようにした。
【発明の効果】
【００１８】
本開示の実施形態では、情報送信および受信のための新しいソリューションを提供し、そこでは、参照信号および複数のＲＲＣメッセージのうちの少なくとも２つは、同じ時間単位または少なくとも２つの連続時間単位を使用して送信され、このようにして、送信されるべきすべての情報が同じまたは近い時間単位で送信され、したがって他のシステムまたはノードへの干渉を制限することができ、免許不要スペクトルで送信される場合、これらの信号送信に必要なＬＢＴの数が減少できる。
【００１９】
本開示の上記および他の特徴は、添付の図面を参照しながら実施形態に示される実施形態についての詳細な説明を通してより明らかになるであろう。図面全体を通して、同じ参照番号は同じまたは同様の構成要素を表す。
【図面の簡単な説明】
【００２０】
【図１】図１は、本開示の一実施形態による無線通信システムにおいて情報を送信する方法のフローチャートを概略的に示す図である。
【００２１】
【図２】図２は、本開示の例示的な実施形態による例示的な情報送信タイミングを概略的に示す図である。
【００２２】
【図３】図３は、本開示の例示的な実施形態による、異なるＵＥグループに対する例示的なページングタイミングを概略的に示す図である。
【００２３】
【図４】図４は、本開示の特定の実施形態による無線通信システムにおける情報受信の例示的フローチャートを概略的に示す図である。
【００２４】
【図５】図５は、本開示の例示的な実施形態による別の例示的な情報送信タイミングを概略的に示す図である。
【００２５】
【図６】図６は、本開示の別の特定の実施による無線通信システムにおける情報受信の例示的なフローチャートを概略的に示す図である。
【００２６】
【図７】図７は、本開示の例示的な実施形態によるさらなる例示的な情報送信タイミングを概略的に示す図である。
【００２７】
【図８】図８は、本開示のさらなる特定の実施による無線通信システムにおける情報受信の例示的なフローチャートを概略的に示す図である。
【００２８】
【図９】図９は、本開示の例示の実施形態によるさらに別の例示の情報送信タイミングを概略的に示す図である。
【００２９】
【図１０】図１０は、本開示のさらなる特定の実施態様による無線通信システムにおける情報受信の例示的なフローチャートを概略的に示す図である。
【００３０】
【図１１】図１１は、本開示の一実施形態による無線通信システムにおける情報を受信する方法のフローチャートを概略的に示す図である。
【００３１】
【図１２】図１２は、本開示の実施形態による無線通信システムにおいて情報を送信するための装置のブロック図を概略的に示す。そして
【００３２】
【図１３】図１３は、本開示の実施形態による無線通信システムにおいて情報を受信するための装置のブロック図を概略的に示す図である。
【００３３】
【図１４】図１４は、本明細書で説明されるように、ＵＥとして具現化され得るかまたはそれに含まれ得る装置１４１０、および無線ネットワーク内の基地局として具現化され得るかまたはそれに含まれ得る装置１４２０の簡略化されたブロック図である。
【発明を実施するための形態】
【００３４】
以下に添付図面を参照し、本開示において提供されるソリューションを、実施形態を通して詳細に説明する。これらの実施形態は、当業者が本開示をよりよく理解し、実施することを可能にするためにのみ提示されており、本開示の範囲を限定することを意図するものではない。
【００３５】
添付の図面において、本開示の様々な実施形態は、ブロック図、フローチャート、および他の図で示されている。フローチャートまたはブロック中の各ブロックは、特定の論理機能を実行するための１つまたは複数の実行可能命令を含むモジュール、プログラム、またはコードの一部を表すことができ、本開示では、必ずしも必要ではないブロックを点線で示す。さらに、これらのブロックは、方法のステップを実行するための特定の順序で示されているが、実際のところ、それらは必ずしも厳密に示された順序に従って実行されなくてもよい。例えば、それらは逆の順序で又は同時に実行されてもよく、このことは各々の動作の性質による。ブロック図および／またはフローチャート中の各ブロック、ならびにそれらの組み合わせは、特定の機能／動作を実行するための専用ハードウェアベースのシステムによって、または専用ハードウェアとコンピュータ命令との組み合わせによって実装され得る。
【００３６】
一般に、特許請求の範囲で使用される全ての用語は、本明細書で他に明確に定義されない限り、技術分野におけるそれらの通常の意味に従って解釈される。「前記要素、装置、構成要素、手段、ステップなど」に対する言及はすべて、前記要素、装置、構成要素、手段、単位の少なくとも１つの例を指すものとして公然と解釈され、特に明記しない限り、複数のそのような装置、構成要素、手段、ユニット、ステップなどを排除しない。さらに、本明細書で使用される不定冠詞「１つの（a/an）」は、そのようなステップ、ユニット、モジュール、デバイス、およびオブジェクトなどが複数であることを除外するものではない。
【００３７】
さらに、本開示の文脈において、ユーザ機器（ＵＥ）は、端末、移動端末（ＭＴ）、加入者局（ＳＳ）、携帯加入者局（ＰＳＳ）、移動局（ＭＳ）を指すことがある。あるいは、アクセス端末（ＡＴ）、およびＵＥ、端末、ＭＴ、ＳＳ、ＰＳＳ、ＭＳ、またはＡＴの機能の一部または全部が含まれてもよい。さらに、本開示の文脈において、用語「ＢＳ」は、例えば、ノードＢ（ノードＢまたはＮＢ）、発展型ノードＢ（ｅノードＢまたはｅＮＢ）、無線ヘッダ（ＲＨ）、リモート無線ヘッド（ＲＲＨ）、リレー、またはフェムト、ピコなどの低電力ノードなどを表すことができる。
【００３８】
上述したように、既存のソリューションでは、参照信号およびＲＲＣメッセージ送信は依然として複数のＬＢＴ試行を必要とし、また他のシステムへの干渉を引き起こす。したがって、本開示では、これらの問題に対処するための情報送信および受信の新しいソリューションが提供される。本開示では、ＬＢＴの要求を低減し、他のシステムまたはノードへの干渉を低減することができるように、できるだけ参照信号とＲＲＣメッセージとを一緒に送信することが提案する。以下、添付の図面を参照しながら、情報送受信のソリューションを詳細に説明する。
【００３９】
図１は、本開示の実施形態による無線通信システムにおけるデータ送信の方法１００のフローチャートを概略的に示す。方法１００は、ノードＢ（ノードＢまたはＮＢ）のようなサービングノード、例えばＢＳにおいて実行することができる。
【００４０】
図１に示すように、まずステップＳ１０１において、１つの参照信号および複数のＲＲＣメッセージのうちの少なくとも２つが、同じ時間単位または少なくとも２つの連続する時間単位を用いて送信される。特に、１つの参照信号および複数のＲＲＣメッセージのうちの少なくとも２つは同じ時間オフセットまたは異なる時間オフセットを有してもよく、参照信号および複数のＲＲＣメッセージのうちの少なくとも２つは、同じ送信周期性、または所定の周期性の異なる倍数である送信周期性を有してもよい。
【００４１】
本開示の実施形態では、参照信号は、例えば、ディスカバリー信号、セル参照信号（ＣＲＳ）、チャネル状態情報参照信号（ＣＳＩ−ＲＳ）、一次同期信号（ＰＳＳ）、二次同期信号（ＳＳＳ）、または任意の他の種類の参照信号のいずれかを含むことができる。
【００４２】
本開示の実施形態では、ＲＲＣメッセージは、ＲＲＣ情報要素、セキュリティ制御情報要素、モビリティ制御情報要素、測定情報要素、他の情報要素、マルチメディアブロードキャストマルチキャストサービス（ＭＢＭＳ）情報要素、セルポイントツーマルチポイント（ＳＣ−ＰＴＭ）情報要素、サイドリンク情報要素、システム情報ブロック（ＳＩＢ）、マスタ情報ブロック（ＭＩＳ）、ページングメッセージ、および将来新たに定義される他のＲＲＣメッセージのいずれかを含むことができる。
【００４３】
以下では、図のみで、参照信号およびＲＲＣメッセージの例として、ＤＲＳおよびＭＩＢ、ＳＩＢおよびページングメッセージをそれぞれ説明する。しかし、当業者は、本開示がこれらの特定の実施形態に限定されず、他の種類の参照信号およびＲＲＣメッセージにも同様に適用され得る。
【００４４】
本開示では、１つの参照信号および複数のＲＲＣメッセージのうちの少なくとも２つを同じ時間単位で送信すること、または複数の連続時間単位で送信することを提案する。同じ時間単位または連続時間単位で送信することは、それらが常に同じサブフレームまたは連続時間単位で送信されることを意味するのではなく、これらの情報のいずれかを送信する必要がある場合に同じサブフレームまたは連続時間単位で送信されることを意味する。言い換えれば、参照信号およびＲＲＣメッセージは、他のネットワークまたはシステムへの干渉を減らし、ＬＢＴの要件を減らすために、可能な限り同じまたは近くのサブフレームで送信し得る。本明細書で使用される時間単位は、例えば、サブフレームまたは任意の他の適切な時間単位を含み得る。
【００４５】
参照信号およびＲＲＣメッセージの周期性は、同じ送信周期性または所定の周期性の異なる倍数である送信周期性を有し、それらの時間オフセットは同じでも異なっていてもよい。周期性と時間オフセットの異なる組み合わせは、これらの情報に対して異なる送信タイミングをもたらし得る。以下の文脈で送信タイミングのいくつかの例を説明する。
【００４６】
次に、本開示の例示の実施形態による例示の情報送信タイミングを概略的に示す図２を参照する。本開示の実施形態では、ＤＲＳ、ＭＩＢ、ＳＩＢ、およびページングメッセージは、レガシーシステムのものと同じ周期性を有する、すなわち、ＤＲＳおよびＭＩＢは、４０ｍｓの周期性を有し、ＳＩＢは、８０ｍｓの周期性を有する。そしてページングメッセージは１２０ｍｓの周期性を有する。言い換えれば、それらは４０ｍｓの所定の周期性の異なる倍数である周期性を有する。
【００４７】
図では、ＭＩＢ、ＳＩＢ、およびページングメッセージは、ＤＲＳと同じ時間単位（サブフレームなど）内に送信され、それらは同じ時間オフセットを有し、これはそれらが同じ時間単位で送信される、これは、それらのうちのどれかが送信されるならば、それらは同じ１つのサブフレームで送信されることを意味する。図示のように、ＤＲＳ、ＭＩＢ、ＳＩＢおよびページングメッセージはサブフレーム０で送信され、ＤＲＳおよびＭＩＢはサブフレーム４０で送信され、ＤＲＳ、ＭＩＢおよびＳＩＢはサブフレーム８０およびＤＲＳで送信され、ＭＩＢおよびページングメッセージはサブフレーム１２０で送信される。
【００４８】
本開示の一実施形態では、異なるＵＥに対するページングメッセージが異なるＤＲＳ機会に搬送されることができるように、ページング周期性はＤＲＳのそれよりも大きくてもよい。一例として、ＵＥの識別子、例えば、ＵＥの国際移動加入者識別番号（ＩＭＳＩ）または他の適切な識別子に基づいてページングメッセージを搬送するために、異なるＤＲＳサブフレームを異なるＵＥに割り当てることができる。したがって、ページングメッセージに利用可能な時間領域リソースは、すべてのサブフレームではなく、ＤＲＳサブフレーム、すなわちＤＲＳを搬送するサブフレームに制限される。
【００４９】
図３は、本開示の例示的実施形態による、異なるＵＥグループに対する例示的ページングタイミングを概略的に示す。図３に示すように、ＵＥは、識別子、例えばＩＭＳＩに基づいて、ＵＥグループ１、ＵＥグループ２、ＵＥグループ３などを含む異なるＵＥグループに分割される。ＵＥグループ１内のＵＥについては、ページングメッセージがサブフレーム０で送信され、ＵＥグループ２内のＵＥについては、ページングメッセージがサブフレーム１２０で送信され、ＵＥグループ３のＵＥについては、ページングメッセージがサブフレーム２４０で送信される。したがって、異なるＵＥグループのＵＥは、それらのＩＭＳＩに基づいて決定されたＤＲＳサブフレームでページングメッセージを受信することができる。
【００５０】
本開示の一実施形態では、ＭＩＢは、例えば、物理ブロードキャストチャネル（ＰＢＣＨ）または他の任意の適切なチャネルによって搬送され得る。ＳＩＢの別の実施形態では、例えば、システム情報無線ネットワーク一時識別子（SI-RNTI）またはその他の適切な識別子によってスクランブルされた、共通サーチスペースを有する物理ダウンリンク共有チャネル（ＰＤＳＣＨ）（または任意の他の適切なチャネル）物理ダウンリンク共有チャネル（ＰＤＣＣＨ）（または任意の他の適切なチャネル）によって搬送され得る。本開示のさらなる実施形態では、ページングメッセージは、例えば、ページング−ＲＮＴＩ（Ｐ−ＲＮＴＩ）または他の適切な識別子によってスクランブルされた、共通サーチスペースＰＤＣＣＨ（または任意の他の適切なチャネル）を有するＰＤＳＣＨ（または任意の他の適切なチャネル）によって搬送され得る。
【００５１】
本開示の一実施形態では、ＳＩＢ／ページングシステムの帯域幅は、ＬＴＥ仕様において予め決定され得るか、あるいはＭＩＢによって搬送され得る。更にまたは代わりに、ＳＩＢタイミングコンフィグレーション情報を搬送するためにＭＩＢを使用することをさらに検討してもよい。更にまたは代わりに、基本ＤＲＳに加えて拡張ＤＲＳのような追加のＤＲＳがある場合、ＭＩＢを使用していくつかのＤＲＳ帯域幅を示すこともできる。
【００５２】
図４では、本開示の特定の実施に従って情報を受信することの例示的フローチャートを示す。方法４００は、端末装置、例えばＵＥ、または他の同様の端末装置で実行することができる。例示的なフローチャートでは、主にＭＩＢ／ＳＩＢ／ページングメッセージが同じサブフレーム内でＤＲＳと共に送信される場合について説明されているが、本開示はそれに限定されず、他の場合と組み合わせることもできる。
【００５３】
図４に示されるように、ステップ４０１において、ＵＥは、最大可能システム帯域幅、例えば２０ＭＨｚで受信データをバッファする。次にステップ４０２において、ＵＥは、１つ以上の所定の帯域幅内のバッファされたデータに基づいてＤＲＳをブラインド復号する。所定の帯域幅は、例えばＬＴＥ仕様のような仕様、例えば中央の６ＲＢで定義し得る。ＤＲＳが首尾よく復号されれば、時間／周波数同期情報を得ることができる。したがって、ステップ４０３において、取得された時間／周波数同期情報に基づいて、ＵＥは、ＤＲＳに示される、別の１つ以上の所定の帯域幅または別の１つ以上の帯域幅内の対応するＭＩＢを復号する。ステップ４０４において、ＳＩＢおよびページングメッセージのための帯域幅が予め定められている場合、ＳＩＢおよびページングメッセージのうちの少なくとも１つは、さらなる１つまたは複数の予め定められた帯域幅で復号し得る。そのような場合、ステップ４０３および４０４は、異なる順序で、たとえば逆の順序で、または並行して実行することができる。帯域幅がＭＩＢおよびＤＲＳのいずれかに示される場合、ＳＩＢおよびページングメッセージのうちの少なくとも一方は、そこから得られるこの情報の後にＭＩＢおよびＤＲＳのうちの少なくとも一方に示される、さらなる１つまたは複数の帯域幅内で復号され得る。
【００５４】
本開示のさらなる実施形態では、セル分割で、直交するために異なる時間オフセットを利用することができる。すなわち、ＵＥによって受信されたページング情報は、例えばＵＥにサービスを提供するセルの識別子に基づいて予め決定された時間単位で送信される。
【００５５】
本開示の別の実施形態では、１つの参照信号および複数のＲＲＣメッセージのうちの少なくとも２つは、少なくとも２つのグループにグループ化され、これらの少なくとも２つのグループ内の情報は、２つの連続時間単位で、それぞれ送信される。同じ１つのグループ内の情報は同じ時間オフセットを有し、同じ伝送周期性または所定の周期性の異なる倍数である伝送周期性を有する。したがって、他の実施形態では、少なくとも２つの連続的な時間単位は、複数の連続的な時間単位内で送信され、参照信号および複数のＲＲＣメッセージはこれらの時間単位に割り当てられる。同じ１つのグループ内の情報は、それらが同じ時間単位で送信されることができるように同じオフセットを有するものとして設定される。
【００５６】
図５は、本開示の例示的な実施形態による例示的な情報送信タイミングを概略的に示す図である。この実施形態では、ＤＲＳ、ＭＩＢ、ＳＩＢ、およびページングメッセージは、レガシーシステムのものと同じ周期性を有する、すなわち、ＤＲＳおよびＭＩＢは、４０ｍｓの周期性を有し、ＳＩＢは、８０ｍｓの周期性を有し、ページングメッセージは、１２０ｍｓの周期性を有する。しかしながら、それらは２つの連続したサブフレーム内で送信され、それらのオフセットはＤＲＳ時間領域位置を考慮するように調整される。図５において、ＤＲＳは第１の信号グループに属し、ＭＩＢ、ＳＩＢおよびページングメッセージは第２の信号グループに属し、第１の信号グループおよび第２の信号グループはそれぞれ２つの隣接するサブフレームで送信される。図５に示すように、隣接するサブフレーム０および１に対して、ＤＲＳはサブフレーム０で送信され、ＭＩＢ、ＳＩＢおよびページング情報はサブフレーム１で送信される。隣接サブフレーム４０および４１では、ＤＲＳはサブフレーム４０で送信され、ＭＩＢはサブフレーム４１で送信される。隣接サブフレーム８０および８１では、ＤＲＳはサブフレーム８０で送信され、ＭＩＢおよびＳＩＢはサブフレーム８１で送信される。隣接サブフレーム１２０および１２１については、ＤＲＳはサブフレーム１２０で送信され、ＭＩＢおよびページング情報はサブフレーム１２１で送信される。このように、この実施形態では、ＤＲＳはサブフレームで別々に送信され、ＭＩＢおよびＳＩＢおよびページングメッセージのうちの２つは次のサブフレームで送信されることは明らかである。
【００５７】
この実施形態では、ＭＩＢ、ＳＩＢ、ページングメッセージ、ＳＩＢ／ページング帯域幅指示、およびセルの区別の伝達は、図１および２を参照して説明したものと同様であり得るので、ここでは簡略化のために詳述しない。
【００５８】
図６は、本開示の別の特定の実施形態による情報を受信の例示的なフローチャートを示す。方法６００は、端末装置、例えばＵＥ、または他の同様の端末装置で実行することができる。例示的フローチャートでは主に、ＤＲＳ、ＭＩＢ／ＳＩＢ／ページングメッセージが２つ連続して送信され、ＤＲＳが別に送信される場合について説明されているが、他のケースと組み合わせることもできる。
【００５９】
図６に示されるように、図４とは異なり、ステップ６０１において、ＵＥは最初に所定の帯域幅内でＤＲＳをブラインド復号する。所定の帯域幅は、例えばＬＴＥ仕様のような仕様、例えば中央の６ＲＢで定義することができる。次に、ステップ６０２において、ＵＥは、可能な最大システム帯域幅、例えば２０ＭＨｚで、次のサブフレームで受信データをバッファする。ＤＲＳがうまく復号されれば、時間／周波数同期情報を得られる。したがって、ステップ４０３において、取得された時間／周波数同期情報およびバッファされたデータに基づいて、ＵＥは、ＤＲＳに示される別の所定の帯域幅または別の１つ以上の帯域幅内で対応するＭＩＢを復号する。ステップ６０４において、ＳＩＢおよびページングメッセージのための帯域幅が事前に決定されている場合、ＳＩＢおよびページングメッセージのうちの少なくとも一方は、１つまたは複数の事前に決定された帯域幅で復号され得る。そのような場合、ステップ６０３および６０４において、異なる順序で、たとえば逆の順序で、または並行して実行することができる。ＳＩＢおよびページングメッセージのための帯域幅がＭＩＢおよびＤＲＳのうちのいずれかにおいて示される場合、ＳＩＢおよびページングメッセージのうちの少なくとも１つは、この情報が取得された後、MIBおよびDRSの少なくとも１つの中で示される、さらに複数の帯域幅内で復号され得る。
【００６０】
図７は、本開示の例示の実施形態による別の例示の情報送信タイミングをさらに概略的に示す。この実施形態では、ＤＲＳ、ＭＩＢ、ＳＩＢ、およびページングメッセージは、レガシーシステムのものと同じ周期性を有する、すなわち、ＤＲＳおよびＭＩＢは、４０ｍｓの周期性を有し、ＳＩＢは、８０ｍｓの周期性を有し、ページングメッセージは、１２０ｍｓの周期性を有する。これらの信号は２つの連続したサブフレーム内で送信され、それらのオフセットはＤＲＳ時間領域位置を考慮するように調整される。図５とは異なり、ＤＲＳとＭＩＢは第１の信号グループに分けられ、ＳＩＢとページングメッセージは第２の信号グループに分けられる。図７に示すように、隣接するサブフレーム０および１に対して、ＤＲＳおよびＭＩＢはサブフレーム０で送信され、ＳＩＢおよびページング情報はサブフレーム１で送信される。サブフレーム４０では、ＤＲＳおよびＭＩＢはサブフレーム４０で送信される。隣接サブフレーム８０および８１では、ＤＲＳおよびＭＩＢはサブフレーム８０で送信され、ＳＩＢはサブフレーム８１で送信される。隣接サブフレーム１２０および１２１については、ＤＲＳおよびＭＩＢはサブフレーム１２０で送信され、ページング情報はサブフレーム１２１で送信される。したがって、この実施形態では、ＤＲＳとＭＩＢとが同じサブフレームで送信され、ＳＩＢとページングメッセージとが送信される必要がある場合、それらは次のサブフレームで送信されることは明らかである。言い換えれば、図７に示されるタイミングは、２つの連続するサブフレームにおける参照信号およびＲＲＣメッセージの異なる分割において、図５に示されるタイミングとは異なる。
【００６１】
この実施形態では、ＭＩＢ、ＳＩＢ、ページングメッセージ、ＳＩＢ／ページング帯域幅指示、およびセルの区別の伝達は、図１および２を参照して説明したものと同様であり得るので、本明細書では簡略化のために詳述しない。
【００６２】
図８は、本開示のさらなる特定の実施に従って情報を受信することの例示的なフローチャートを示す。方法８００は、端末装置、例えばＵＥ、または他の同様の端末装置で実行することができる。例示的なフローチャートは、２つの隣接するサブフレームにおいてＭＩＢ／ＳＩＢ／ページングメッセージがＤＲＳと共に送信され、ＤＲＳとＭＩＢが同じグループに分割される場合について主について説明されているが、他のケースと組み合わせることもできる。
【００６３】
図８に示すように、ステップ８０１において、ＵＥは、最大可能システム帯域幅、例えば２０ＭＨｚの受信データをバッファする。次にステップ８０２において、ＵＥは、１つまたは複数の所定の帯域幅内のバッファされたデータに基づいてＤＲＳおよびＭＩＢをブラインド復号する。ＤＲＳおよびＭＩＢのための１つまたは複数の事前定義帯域幅は、例えばＬＴＥ仕様のような仕様で定義することができ、それらはＤＲＳおよびＭＩＢのために同じでも異なっていてもよい。ステップ８０３において、ＳＩＢおよびページングメッセージのための１つまたは複数の帯域幅が予め定められている場合、ＳＩＢおよびページングメッセージのうちの少なくとも１つは、さらなる１つまたは複数の予め定められた帯域幅で復号することができる。１つまたは複数の帯域幅がＭＩＢおよびＤＲＳのいずれかに示される場合、ＳＩＢおよびページングメッセージの少なくとも１つは、この情報がそこから得られた後、ＭＩＢおよびＤＲＳの少なくとも１つに示される、さらなる１つまたは複数の帯域幅内で復号され得る。
【００６４】
上記では、ＤＲＳ、ＭＩＢ、ＳＩＢ、およびページングメッセージはすべて、レガシーシステムのものと同じ周期性を有する。しかしながら、本開示はこれに限定されない。別の異なる実施形態では、周期性は情報送信を適応させるために変更し得る。たとえば、MIBとSIBを新しいシステム情報として結合して、同じ周期性を持たせうる。さらに、ページングメッセージは、ＭＩＢとＳＩＢとを組み合わせた新しいシステム情報と同じ周期性をさらに共有することができ、これはそれらが同じ周期性を有することができることを意味する。新しいシステム情報の周期性とページングメッセージは、DRSの周期性と同じでも複数でもよい。
【００６５】
ＤＲＳ、新しいシステムメッセージ、およびページングメッセージのためのタイミング情報は、ＢＳのようなネットワークノードによって、ＲＲＣシグナリングによって構成されてもよく、またはＬＴＥ仕様において事前定義されてもよい。それらは１つ以上のサブフレームを占有することができ、それらが同じ１つのサブフレームまたは連続的なサブフレームを送信される得ることを意味する。
【００６６】
説明のために、図９では、本開示の実施形態による無線通信システムにおいて情報を受信するための装置のブロック図を概略的に示す。図示するように、新しいシステム情報とページングメッセージの周期性はDRSの周期性と同じであり、それらはすべて同じサブフレームで送信され、それは、同じオフセットを有することを意味する。
【００６７】
図９では、本開示の例示の実施形態によるさらに別の例示の情報送信タイミングを概略的に示す。図９では、すべての情報が同じ周期性および同じ時間オフセットを有し、同じ１つのサブフレーム内で送信されているが、本開示はそれに限定されない。実際、新しいシステム情報とページングメッセージがＤＲＳの２、３、４倍の周期性を持つこともでき、あるいは、情報を異なる時間オフセットを有する異なるグループにグループ化して、それらが複数のサブフレームで送信されるようにすることもできる。
【００６８】
さらに、ＭＩＢ／ＳＩＢ／ページングメッセージの内容を、それらがレガシーのものとは異なるように変更し得る。たとえば、従来のものから単純化し得る。本開示の実施形態では、ページングメッセージは、グループ内のどこのＵＥがページングされているか否かを示すために簡略化することができる。
【００６９】
図１０では、本開示のさらなる特定の実施に従って情報を受信することの例示的なフローチャートを示す。方法１０００は、端末装置、例えばＵＥ、または他の同様の端末装置で実行することができる。例示的なフローチャートは、ＭＩＢ／ＳＩＢ／ページングメッセージが同じ周期性および時間オフセットを有し、それらが同じサブフレーム内でＤＲＳと共に送信される場合について主に説明されているが、他のものと組み合わせることもできる。
【００７０】
図１０に示すように、ステップ１００１において、ＵＥは、最大可能システム帯域幅、例えば２０ＭＨｚについて受信データをバッファする。次にステップ１００２において、ＵＥは、１つ以上の所定の帯域幅内のバッファされたデータに基づいてＤＲＳをブラインド復号する。ＤＲＳのための所定の帯域幅は、例えばＬＴＥ仕様のような仕様、例えば中央の６ＲＢで定義することができる。ステップ８０３において、新しいシステム情報およびページングメッセージのための帯域幅が予め定められている場合、新しいシステム情報およびページングメッセージのうちの少なくとも１つは、ＤＲＳから得られた時間／周波数同期に基づいてさらに１つ以上の所定の帯域幅で復号される。帯域幅がＤＲＳに示される場合、新しいシステム情報およびページングメッセージのうちの少なくとも１つは、この情報が得られた後に、ＤＲＳに示されるさらなる１つまたは複数の帯域幅内で復号され得る。
【００７１】
図１１において、本開示の実施形態による無線通信システムにおける情報を受信する方法のフローチャートが提供されている。図４、６、８および１０に示した方法は、、異なる場合に対する特定の実装形態であり、図１１に示されるようなソリューションは、情報受信に対する一般的なソリューションであり、これは送信タイミングの一般的な場合に使用することができる点に留意されたい。
【００７２】
図１１に示される方法１１００において、受信される情報は、１つの参照信号と複数の無線リソース制御（ＲＲＣ）メッセージのうちの２つを含む。図では、最初にステップ１１０１において、１つの参照信号および複数のＲＲＣメッセージとのうちの少なくとも２つが同じ時間単位または少なくとも２つの連続する時間単位を用いて受信される。特に、参照信号のうちの少なくとも２つおよび複数のＲＲＣメッセージは、同じ時間オフセットまたは異なる時間オフセットを有する。参照信号および複数のＲＲＣメッセージのうちの少なくとも２つは、同じ送信周期性または所定の周期性の異なる倍数である送信周期性を有する。
【００７３】
本開示の一実施形態では、１つの参照信号および複数のＲＲＣメッセージのうちの少なくとも２つが同じ時間単位で受信され、１つの参照信号および複数のＲＲＣメッセージのうちの少なくとも２つが同じオフセットを有してもよい。
【００７４】
本開示の別の実施形態では、参照信号および複数のＲＲＣメッセージのうちの少なくとも２つは、少なくとも２つの連続した時間単位で送信される少なくとも２つのグループにグループ化されてもよく、同じ１つのグループは同じ時間オフセットを有してもよく、同じ送信周期性または所定の周期性の異なる倍数である送信周期性を有してもよい。
【００７５】
本開示のさらなる実施形態では、ＵＥは、１つの参照信号および複数のＲＲＣメッセージのうちの少なくとも２つをさらに復号してもよい。本開示のさらなる実施形態では、参照信号はディスカバリー信号（ＤＲＳ）を含み、複数のＲＲＣメッセージは少なくともマスタ情報ブロック（ＭＩＢ）、システム情報ブロック（ＳＩＢ）およびページングメッセージを含む。そのような場合、復号化は、ＤＲＳが受信されたときに１つまたは複数の所定の帯域幅内でＤＲＳを復号化すること、ＤＲＳから復号された時間／周波数同期情報に基づいて、ＤＲＳに示される、別の１つ以上の所定の帯域幅または別の１つ以上の帯域幅内でＭＩＢを復号すること、及びＭＩＢおよびＤＲＳのうちの少なくとも１つに示される、さらに１つまたは複数の所定の帯域幅またはさらに１つまたは複数の帯域幅内でＳＩＢおよびページングメッセージのうちの少なくとも１つを復号すること、を含んでもよい。
【００７６】
本開示のさらなる実施形態では、端末装置に関するページング情報は、端末装置の識別子に基づいて決定された時間単位で受信され得え、および／またはそれらを復号するのに十分な情報を得る前に、参照信号および複数のＲＲＣメッセージのうちの少なくとも１つをバッファし得る。
【００７７】
本開示のさらなる実施形態では、ＤＲＳを復号することは、グループ内のＵＥがページングされているかどうかに関するインジケータを取得するためにＤＲＳを復号することを含む。
【００７８】
方法１１００が、それが図４、６、８および１０で説明されたような少なくともそれらの特定の実装に基づく情報受信のための一般的なソリューションであり、図１１に示されるようなステップについてのいくつかの詳細な情報については、図４、６、８および１０を参照して説明されたものを参照してもよいことに留意されたい。
【００７９】
以上、本開示において提案している情報の送受信方法について説明した。さらに、本開示では、ページングメッセージング表示のためのソリューションがさらに開示される。それは、本明細書で提案されるように情報送信または受信と組み合わせて使用され得るか、またはレガシーシステムまたは他のシステムと共に使用され得る。上述したように、既存のシステムでは、ページングメッセージは各ＵＥに対して周期的に送信され、通常はＤＲＳとは別に構成されている。ページングメッセージは詳細なページング情報を搬送するので、更新された情報がなくてもUEはページング情報を復号する必要があり、これは低効率を意味し、処理リソースを消費する。したがって、本開示では、ＵＥがページングされているかどうかを示すためにＤＲＳを使用することが提案される。言い換えれば、ＤＲＳはページング指示情報を含むことができる。
【００８０】
異なるＵＥを異なるＤＲＳ時間領域リソースに割り当てることができ、したがって、ＤＲＳ時間領域位置内のインジケータを使用して、ＵＥグループがページングされているかどうかを示すことができる。言い換えれば、それは、ＵＥがページングされているか否かについての指示を含むＤＲＳを送信してもよい。
【００８１】
本開示の一実施形態では、それは、ＵＥがページングされているか否かを示すためにＤＲＳ内の二重化モードインジケータを再使用することができる。ＤＲＳでは、それは通常、二重化モードインジケータ、例えば、ＦＤＤ／ＴＤＤインジケータを含み、このインジケータは、ＵＥがページングしているか否かを示すために再使用することができる。
【００８２】
本開示の別の実施形態では、ＵＥがページングされているか否かを示すためにＤＲＳ内のサイクリックプレフィックスタイプインジケータ（cyclic prefix type indicator）を再使用することが可能である。ＤＲＳでは、それは通常、サイクリックプレフィックスタイプインジケータ、例えば、通常のＣＰ／拡張ＣＰインジケータを含み、このインジケータは、ＵＥがページングしているか否かを示すために再使用することができる。
【００８３】
本開示のさらなる実施形態では、ＵＥがページングされているかどうかを示すためにＤＲＳ内の特定のセルインデックスを再使用し得る。すべてのセルには、UEがページングされているかどうかを示すために使用できるセルＩＤがある。例えば、セルＩＤ５０４は、ページング情報を示すための特定のセルＩＤとして使用される。ＵＥが５０４以外のセルＩＤを示すＤＲＳを受信した場合、それを実際のセルＩＤとして解釈する。ＵＥが現在の時間インスタンスにおいてセルＩＤ５０４を示すＤＲＳを受信し、以前の最も近い時間インスタンスにおいてセルｉｄ  ｘ（ここでｘは５０４ではない）を受信した場合、ＵＥはこのセルｉｄ  ｘを有効セルとして解釈し、その間にＵＥがページングされていることを知る。
【００８４】
本開示のさらなる実施形態では、ＵＥがページングされているかどうかを示すために特定のインジケータの変更も使用され得る。例えば、ＵＥのページング周期は３６０ｍｓであり、ページングオフセットは０であり、サブフレーム０のＤＲＳが通常のＣＰを示し、サブフレーム３６０においてそれが拡張ＣＰを示す場合、ＵＥはそれがページングされていることを知る。その上、他のインジケータも特定のインジケータとして選択することができ、インジケータの変化を使用して、UEがページングされているかどうかを示すことができる。
【００８５】
このようにして、ページング指示は簡単な方法で実施することができ、単一チャネルアクセス機会はＤＲＳおよびページング情報にとって十分である。
【００８６】
また、本開示では、無線通信システムにおける情報送受信のための装置も提供され、図１２及び１３を参照して次に説明する。
【００８７】
図１２は、本開示の実施形態による無線通信システムにおいて情報を送信するための装置のブロック図を示す。
【００８８】
図１２に示す実施形態では、情報は１つの参照信号と複数の無線リソース制御（ＲＲＣ）メッセージのうちの２つを含む。図１２に示すように、装置１２００は、情報送信モジュール１２０１を含む。情報送信モジュールは、同じ時間単位または少なくとも２つの時間単位を用いて、１つの参照信号および複数のＲＲＣメッセージとのうちの少なくとも２つを送信するように構成さてもよい。特に、参照信号と複数のＲＲＣメッセージとのうちの少なくとも２つは同じ時間オフセットまたは異なる時間オフセットを有し、１つの参照信号および複数のＲＲＣメッセージのうちの少なくとも２つは同じ送信周期性または所定の周期性の異なる倍数である送信周期性を有する。
【００８９】
本開示の一実施形態では、１つの参照信号および複数のＲＲＣメッセージのうちの少なくとも２つが同じ時間単位で送信され、１つの参照信号および複数のＲＲＣメッセージのうちの少なくとも２つが同じオフセットを有してもよい。
【００９０】
本開示の別の実施形態では、ページングメッセージの周期性は参照信号の周期性よりも大きくてもよく、その結果、異なるＵＥに対するページングメッセージは異なる基準信号時間単位で搬送することができ、異なる基準信号時間単位は、ＵＥの識別子に基づいてページングメッセージを搬送するために異なるＵＥに割り当てられる。
【００９１】
本開示のさらなる実施形態では、参照信号および複数のＲＲＣメッセージのうちの少なくとも２つのうちの少なくとも２つは、少なくとも２つの連続した時間内に送信される少なくとも２つのグループにグループ分けされてもよく、同じ１つのグループ内の情報は同じ時間オフセットを有してもよく、同じ伝送周期性または所定の周期性の異なる倍数である伝送周期性を有してもよい。
【００９２】
本開示のさらなる実施形態では、複数のＲＲＣメッセージは、マスタ情報ブロック（ＭＩＢ）、システム情報ブロック（ＳＩＢ）およびページングメッセージ、を含み得る、そしてＳＩＢの帯域幅に関する指示およびページングメッセージは、ＭＩＢおよび参照信号のうちの少なくとも１つで搬送されてもよい、または帯域幅は、１つまたは複数の所定の帯域幅であってもよく、前記参照信号および前記複数のＲＲＣメッセージのうちの少なくとも２つは、異なるセルに対して異なる時間オフセットを有してもよい。
【００９３】
本開示のさらなる実施形態では、参照信号は、グループ内のＵＥがページングされているかどうかを示すためのインジケータを含んでもよい。
【００９４】
図１３は、本開示の実施形態による無線通信システムにおいて情報を受信するための装置のブロック図を概略的に示す。図１３に示す実施形態では、情報は１つの参照信号と複数の無線リソース制御（ＲＲＣ）メッセージとのうちの少なくとも２つを含む。図１３に示されるように、装置１３００は、同じ時間単位または少なくとも２つの連続的な時間単位を用いて、参照信号および複数のＲＲＣメッセージのうちの少なくとも２つを受信するように構成された情報受信モジュール１３０１を備える。特に、１つの参照信号および複数のＲＲＣメッセージのうちの少なくとも２つは同じ時間オフセットまたは異なる時間オフセットを有してもよく、１つの参照信号および複数のＲＲＣメッセージのうちの少なくとも２つは同じ伝送周期性または所定の周期性の異なる倍数である伝送周期性を有してもよい。
【００９５】
本開示の一実施形態では、１つの参照信号および複数のＲＲＣメッセージのうちの少なくとも２つが同じ時間単位で受信され、１つの参照信号および複数のＲＲＣメッセージのうちの少なくとも２つが同じオフセットを有してもよい。
【００９６】
本開示の別の実施形態では、参照信号および複数のＲＲＣメッセージのうちの少なくとも２つは、少なくとも２つの連続した時間単位で送信される少なくとも２つのグループにグループ化してもよく、同じ１つのグループは同じ時間オフセットを有してもよく、同じ送信周期性または所定の周期性の異なる倍数である送信周期性を有してもよい。
【００９７】
本開示のさらなる実施形態では、参照信号はディスカバリー信号（ＤＲＳ）を含んでもよく、複数のＲＲＣメッセージは少なくともマスタ情報ブロック（ＭＩＢ）、システム情報ブロック（ＳＩＢ）およびページングメッセージを含むようにしてもよい。装置１３００は、情報復号モジュール１３２０をさらに含んでもよい；情報復号モジュール１３２０は、以下のように構成し得る；ＤＲＳが受信されたとき、１つまたは複数の所定の帯域幅内でＤＲＳを復号する。；ＤＲＳから復号された時間／周波数同期情報に基づいて、ＤＲＳに示されるような他の１つ以上の帯域幅内でＭＩＢを復号する；そして、さらに１つまたは複数の所定の帯域幅またはＭＩＢおよびＤＲＳのうちの少なくとも１つに示されるようなさらに１つまたは複数の帯域幅内でＳＩＢおよびページングメッセージを復号する。
【００９８】
本開示のさらなる実施形態では、情報受信モジュール１３１０は、端末装置の識別子に基づいて決定される時間単位で端末装置のページング情報を受信することのうちの少なくとも１つを実行するようにさらに構成されて、そして、それらを復号するのに十分な情報を得る前に、参照信号および複数のＲＲＣメッセージのうちの少なくとも１つをバッファするようにしてもよい。
【００９９】
本開示のさらなる実施形態では、情報復号モジュール１３２０は、グループ内のＵＥがページングされているかどうかに関するインジケータを取得するためにＤＲＳを復号するようにさらに構成されてもよい。
【０１００】
以上、図１２および１３を参照して装置１２００および１３００について説明した。装置１２００および１３００は、図１から図１１を参照して説明したような機能を実装するように構成され得ることに留意されたい。したがって、これらの装置内のモジュールの動作に関する詳細については、図１から図１１を参照しながら方法のそれぞれのステップに関して行われた説明を参照することができる。
【０１０１】
装置１２００および１３００の構成要素は、ハードウェア、ソフトウェア、ファームウェア、および／またはそれらの任意の組み合わせで具現化されてもよい。例えば、装置１２００および１３００の構成要素は、回路、プロセッサまたは他の任意の適切な選択装置によってそれぞれ実装されてもよい。当業者であれば、前述の実施例は説明のためだけのものであり限定するものではなく、本開示はそれらに限定されないことを理解するであろう。本明細書で提供される教示から多くの変形、追加、削除、および修正を容易に思いつくことができ、これらすべての変形、追加、削除、および修正は本開示の保護範囲に含まれる。
【０１０２】
本開示のいくつかの実施形態では、装置１２００および１３００は少なくとも１つのプロセッサを含んでもよい。本開示の実施形態と共に使用するのに適した少なくとも１つのプロセッサは、例として、既に知られているかまたは将来開発される汎用プロセッサおよび特殊用途プロセッサの両方を含んでもよい。装置１２００および１３００は、少なくとも１つのメモリをさらに含み得る。少なくとも１つのメモリは、例えば、ＲＡＭ、ＲＯＭ、ＥＰＲＯＭ、ＥＥＰＲＯＭ、およびフラッシュメモリ装置などの半導体メモリ装置を含むようにしてもよい。少なくとも１つのメモリは、コンピュータ実行可能命令のプログラムを格納するために使用されてもよい。プログラムは、高水準および／または低水準の適合性のあるまたは解釈可能な任意のプログラミング言語で書くことができる。
実施形態によれば、コンピュータ実行可能命令は、少なくとも１つのプロセッサを用いて、装置１２００および１３００に少なくとも図１から図１１を参照して説明した方法による動作を実行させるように構成されてもよい。
【０１０３】
ＤＲＳ、ＭＩＢ、ＳＩＢ、およびページングメッセージが上記で説明されているが、これらの信号は単に例示目的のための例として与えられており、実際に本開示はそれに限定されないことを理解されたい。本開示の概念は、ＣＲＳ、ＣＳＩ−ＲＳ、ＰＳＳ、ＳＳＳなどのような他の任意の参照信号、およびＲＲＣ情報要素、セキュリティ制御情報要素、モビリティ制御情報要素、他の情報要素、ＭＢＭＳ情報要素、ＳＣ−ＰＴＭ情報要素、サイドリンク情報要素、および将来新しく定義される他のＲＲＣメッセージのような他の任意のＲＲＣメッセージにも適用することができる。
【０１０４】
説明は２つの連続時間単位を参照して説明されているが、本開示はそれに限定されず、これらの信号を送信するためにより多くの連続時間単位を使用することも可能である。
【０１０５】
本開示は、主に認可不要スペクトルを用いて説明され、それに対して大きな利益を提供するが、本開示は、認可不要スペクトルだけに限定されず、通常の通信に適用され得、干渉が低減されるという利点を提供し得る。
【０１０６】
さらに、本開示のさらなる態様では、参照信号送信のための方法がさらに提供される。方法は、グループ内のUEがページングされているかどうかを示すためのインジケータを含む参照信号を送信することを備える。本開示の一実施形態では、参照信号は少なくともディスカバリー信号（ＤＲＳ）を含む。本開示のさらなる実施形態では、グループ内のＵＥがページングされているかどうかは、次のいずれかによって示される；DRSでサイクリックプレフィックスタイプのインジケータを再利用する；DRSで特定のセルインデックスを再利用する；DRSの特定のインジケータの変更を使用する。
【０１０７】
本開示のさらなる態様において、参照信号送信のための装置が提供される。装置は、グループ内のUEがページングされているかどうかを示すためのインジケータを含む参照信号を送信するように構成された参照信号送信ユニットを備えるようにしてもよい。本開示の一実施形態では、参照信号は少なくともディスカバリー信号（ＤＲＳ）を含む。
本開示のさらなる実施形態では、グループ内のＵＥがページングされているかどうかは、次のいずれかによって示される。DRSでサイクリックプレフィックスタイプのインジケータを再利用する；DRSで特定のセルインデックスを再利用する。；DRSの特定のインジケータの変更を使用する。
【０１０８】
図１４は、本明細書に記載されているように、無線ネットワークにおけるＵＥのような端末装置として具現化されるか又はその中に含まれてもよい装置１４１０、及びＮＢまたはｅＮＢのような基地局として具現化される又はその中に含まれることができる装置１４２０の簡略化されたブロック図をさらに示す。
【０１０９】
装置１４１０は、データプロセッサ（ＤＰ）などの少なくとも１つのプロセッサ１４１１と、プロセッサ１４１１に結合された少なくとも１つのメモリ（ＭＥＭ）１４１２とを備える。装置１４１０は、結合された送信器ＴＸおよび受信器ＲＸ１４１３をさらに備えてもよい。ＭＥＭ１４１２はプログラム（ＰＲＯＧ）１４１４を格納する。ＰＲＯＧ１４１４は、関連するプロセッサ１４１１上で実行されると、装置１４１０が動作することを可能にする命令を含むようにしてもよい。
少なくとも１つのプロセッサ１４１１と少なくとも１つのＭＥＭ１４１２の組み合わせは、本開示の様々な実施形態を実施するように適合された処理手段１４１５を形成するようにしてもよい。
【０１１０】
装置１４２０は、ＤＰなどの少なくとも１つのプロセッサ１４２１と、プロセッサ１４２１に結合された少なくとも１つのＭＥＭ１４２２とを備える。装置１４２０は、プロセッサ１４２１に結合された適切なＴＸ／ＲＸ１４２３をさらに備えるようにしてもよい。ＭＥＭ１４２２はＰＲＯＧ１４２４を記憶する。
ＰＲＯＧ１４２４は、関連するプロセッサ１４２１上で実行されたときに、装置１４２０が本開示の実施形態に従って動作する、例えば方法１００を実行する、ようにしてもよい。少なくとも１つのプロセッサ１４２１と少なくとも１つのＭＥＭ１４２２との組み合わせは、本開示の様々な実施形態を実施するようになっている処理手段１４２５を形成するようにしてもよい。
【０１１１】
本開示の様々な実施形態は、プロセッサ１４１１、１４２１のうちの１つまたは複数によって実行可能なコンピュータプログラム、ソフトウェア、ファームウェア、ハードウェア、またはそれらの組合せによって実装され得る。
【０１１２】
ＭＥＭ１４１２および１４２２は、ローカルな技術的環境に適した任意のタイプのものでよく、非限定的な例として、半導体ベースのメモリデバイス、磁気メモリデバイスおよびシステム、光メモリデバイスおよびシステム、固定メモリおよびリムーバブルメモリ、のような任意の適切なデータ記憶技術を使用して実装してもよい。
【０１１３】
プロセッサ１４１１および１４２１は、ローカルの技術的環境に適した任意の種類のものでよく、非限定的な例として、１つまたは複数の汎用コンピュータ、専用コンピュータ、マイクロプロセッサ、デジタル信号プロセッサＤＳＰ、およびマルチコアプロセッサアーキテクチャに基づくプロセッサを含むようにしてもよい。
【０１１４】
さらに、本開示はまた、上述のようなコンピュータプログラムを含むキャリアを提供してもよく、このキャリアは、電子信号、光信号、無線信号、またはコンピュータ可読記憶媒体のうちの１つである。コンピュータ可読記憶媒体は、例えば、光学コンパクトディスク、またはＲＡＭ（ランダムアクセスメモリ）、ＲＯＭ（読み取り専用メモリ）、フラッシュメモリ、磁気テープ、ＣＤ−ＲＯＭ、ＤＶＤ、ブルー-レイディスクなどの電子メモリデバイスとしてもよい。
【０１１５】
一実施形態で説明した対応する装置の１つまたは複数の機能を実装する装置が従来技術の手段だけでなく、対応する装置の１つまたは複数の機能を実装するための手段も備えるように、本明細書に記載の技法を様々な手段で実装するだけでなく本実施形態で説明した装置は、別々の機能ごとに別々の手段を備え、または複数の機能を実行するように構成するようにしてもよい。例えば、これらの技術は、ハードウェア（１つ以上の装置）、ファームウェア（１つ以上の装置）、ソフトウェア（１つ以上のモジュール）、またはそれらの組み合わせで実施されてもよい。ファームウェアまたはソフトウェアの場合、本明細書に記載されている機能を実行するモジュール（たとえば、手順、機能など）を介して実装してもよい。
【０１１６】
本明細書における例示的な実施形態は、方法および装置のブロック図およびフローチャート図を参照して上記で説明されている。ブロック図およびフローチャート図の各ブロック、ならびにブロック図およびフローチャート図のブロックの組み合わせはそれぞれ、コンピュータプログラム命令を含む様々な手段によって実施できることを理解されよう。
これらのコンピュータプログラム命令は、コンピュータまたは他のプログラム可能データ処理装置上で実行される命令が、フローチャートブロックにおいて特定された機能を実施するための手段を作成するように、機械を製造するために汎用コンピュータ、専用コンピュータまたは他のプログラム可能データ処理装置にロードされ得る。
【０１１７】
本明細書は多くの具体的な実装の詳細を含むが、これらは、任意の実装の範囲または主張され得るものに対する制限としてではなく、むしろ特定の実装の特定の実施形態に特有であり得る特徴の説明として解釈されるべきである。本明細書において別々の実施形態の文脈で説明されている特定の特徴は、単一の実施形態において組み合わせて実施することもできる。逆に、単一の実施形態の文脈で説明されている様々な特徴は、別々にまたは任意の適切なサブコンビネーションで複数の実施形態でも実施することができる。さらに、特徴は特定の組み合わせで作用するものとして上に記載され、最初にそのように主張されることさえあるが、主張される組み合わせからの１つまたは複数の特徴は、場合によっては組み合わせから切り取ることができ、そして特許請求の範囲の組み合わせは、サブコンビネーションまたはサブコンビネーションの変形を指向してもよい。
【０１１８】
技術が進歩するにつれて、本発明の概念が様々な方法で実施され得ることは当業者には明らかである。
上述の実施形態は、本開示を限定するのではなく説明するために与えられており、当業者が容易に理解するように、本開示の精神および範囲から逸脱することなく修正および変形してもよい。そのような修正形態および変形形態は、本開示および添付の特許請求の範囲の範囲内にあると見なされる。本開示の保護範囲は、添付の特許請求の範囲によって定義される。
【図１】
2019527513.tif 000003
【図２】
2019527513.tif 000004
【図３】
2019527513.tif 000005
【図４】
2019527513.tif 000006
【図５】
2019527513.tif 000007
【図６】
2019527513.tif 000008
【図７】
2019527513.tif 000009
【図８】
2019527513.tif 000010
【図９】
2019527513.tif 000011
【図１０】
2019527513.tif 000012
【図１１】
2019527513.tif 000013
【図１２】
2019527513.tif 000014
【図１３】
2019527513.tif 000015
【図１４】
2019527513.tif 000016
【国際調査報告】
2019527513.tif 000017
2019527513.tif 000018